(57)【要約】【課題】クライアントに対して最適なサービスを提供することが可能となる、検索システム、情報提供システム、ホスト側装置、クライアント側装置、情報提供方法、情報提供プログラム、ホスト側プログラム、及びクライアント側プログラムを提供すること。【解決手段】検索システム１は、ホスト側装置１０、複数のクライアント側装置２０、及び情報提供装置３０を備えており、ホスト側装置１０は、ホスト側通信部と、生成用情報を取得する取得部と、検索条件情報を生成する検索条件情報生成部とを備え、クライアント側装置２０は、クライアント側通信部とクライアント側出力手段とを備え、情報提供装置３０は、通信部によって検索条件情報が受信された場合にクライアントＤＢのクライアント情報の中から当該検索条件情報に対応するクライアント情報を特定する特定部と、通知情報を生成する通知情報生成部とを備える。【選択図】図１
2019121217.tif 000002
【特許請求の範囲】
【請求項１】
ホストから提供されるサービスを受けるクライアントを検索する検索システムであり、ホスト側装置と、複数のクライアント側装置と、前記ホスト側装置及び前記複数のクライアント側装置の各々と通信可能に接続された情報提供システムとを備えた検索システムであって、
前記ホスト側装置は、
前記情報提供システム又は前記複数のクライアント側装置との相互間で通信を行うためのホスト側通信手段と、
前記クライアントを検索するための条件を示す検索条件情報を生成するための生成用情報を取得する取得手段と、
前記検索条件情報を生成する検索条件情報生成手段と、を備え、
前記複数のクライアント側装置の各々は、
前記情報提供システム又は前記ホスト側装置との相互間で通信を行うためのクライアント側通信手段と、
当該各クライアント側装置に関する各種情報を出力するクライアント側出力手段と、を備え、
前記情報提供システムは、
前記ホスト側装置又は前記複数のクライアント側装置との相互間で通信を行うための通信手段と、
前記検索条件情報と、前記クライアントを特定するクライアント情報とを相互に関連付けて格納するクライアント情報格納手段と、
前記通信手段によって前記検索条件情報が受信された場合に、前記クライアント情報格納手段に格納されている前記クライアント情報の中から当該検索条件情報に対応するクライアント情報を特定する特定手段と、
前記特定手段にて特定された前記クライアント情報に対応するクライアントである旨を通知するための通知情報を生成する通知情報生成手段と、を備え、
前記ホスト側装置の前記検索条件情報生成手段は、前記取得手段にて前記生成用情報が取得された場合に、当該生成用情報に基づいて前記検索条件情報を生成し、
前記ホスト側装置の前記ホスト側通信手段は、前記検索条件情報生成手段にて生成された前記検索条件情報を前記情報提供システムに送信し、
前記情報提供システムの前記特定手段は、前記通信手段によって前記検索条件情報が受信された場合に、前記クライアント情報格納手段に格納されている前記クライアント情報の中から当該検索条件情報に対応するクライアント情報を特定し、
前記情報提供システムの前記通信手段は、前記通知情報生成手段にて生成された前記通知情報を前記特定手段にて特定された前記クライアント情報に対応する前記クライアント側装置に送信し、
前記複数のクライアント側装置の各々の前記クライアント側出力手段は、前記クライアント側通信手段によって前記通知情報が受信された場合に、当該通知情報を出力する、
検索システム。
【請求項２】
ホスト側装置及び複数のクライアント側装置の各々と通信可能に接続された情報提供システムであって、
前記ホスト側装置又は前記複数のクライアント側装置との相互間で通信を行うための通信手段と、
ホストから提供されるサービスを受けるクライアントを検索するための条件を示す検索条件情報と、前記クライアントを特定するクライアント情報とを相互に関連付けて格納するクライアント情報格納手段と、
前記通信手段によって前記検索条件情報が受信された場合に、前記クライアント情報格納手段に格納されている前記クライアント情報の中から当該検索条件情報に対応するクライアント情報を特定する特定手段と、
前記特定手段にて特定された前記クライアント情報に対応するクライアントである旨を通知するための通知情報を生成する通知情報生成手段と、を備え、
前記特定手段は、前記通信手段によって前記検索条件情報が受信された場合に、前記クライアント情報格納手段に格納されている前記クライアント情報の中から当該検索条件情報に対応するクライアント情報を特定し、
前記通信手段は、前記通知情報生成手段にて生成された前記通知情報を前記特定手段にて特定された前記クライアント情報に対応する前記クライアント側装置に送信する、
情報提供システム。
【請求項３】
前記サービスは、医療サービスであり、
前記検索条件情報は、患者の傷病を示す傷病情報、患者の症状を示す症状情報、患者の属性を示す属性情報、又は、医師の位置と関連する患者の位置を示す位置情報を含む、
請求項２に記載の情報提供システム。
【請求項４】
前記通信手段は、前記クライアント情報と、前記クライアントに対してセカンドオピニオンを提供できる旨を示すセカンドオピニオン提供情報とを含む情報が前記ホスト側装置から受信された場合に、当該クライアント情報に対応する前記クライアント側装置に当該セカンドオピニオン提供情報を送信する、
請求項３に記載の情報提供システム。
【請求項５】
前記通信手段は、前記クライアント情報と、前記クライアントを検索することを保留することを指示する保留指示情報とを含む情報が前記ホスト側装置から受信された場合に、当該情報が受信された後の所定のタイミングで、前記クライアント情報格納手段に格納されている前記検索条件情報の中から当該クライアント情報に対応する検索条件情報を当該ホスト側装置に送信する、
請求項２から４のいずれか一項に記載の情報提供システム。
【請求項６】
前記ホストを特定するホスト情報と、前記ホストのＰＲに関するＰＲ情報とを相互に関連付けて格納するＰＲ情報格納手段を備え、
前記特定手段は、前記通信手段によって前記検索条件情報と前記ホスト情報とを含む情報が受信された場合に、前記クライアント情報格納手段に格納されている前記クライアント情報の中から当該検索条件情報に対応するクライアント情報を特定すると共に、前記ＰＲ情報格納手段に格納されている前記ＰＲ情報の中から当該ホスト情報に対応するＰＲ情報を特定し、
前記通信手段は、前記通知情報生成手段にて生成された前記通知情報及び前記特定手段にて特定された前記ＰＲ情報等を含む情報を、当該特定手段にて特定された前記クライアント情報に対応する前記クライアント側装置に送信する、
請求項２から５のいずれか一項に記載の情報提供システム。
【請求項７】
前記ＰＲ情報は、前記ホストの実績を示す実績情報、前記ホストを評価する際の指標となる評価情報、又は、前記ホストの経歴を示す経歴情報を含む、
請求項６に記載の情報提供システム。
【請求項８】
情報提供システム及び複数のクライアント側装置の各々と通信可能に接続されたホスト側装置であって、
前記情報提供システム又は前記複数のクライアント側装置との相互間で通信を行うためのホスト側通信手段と、
ホストから提供されるサービスを受けるクライアントを検索するための条件を示す検索条件情報を生成するための生成用情報を取得する取得手段と、
前記検索条件情報を生成する検索条件情報生成手段と、を備え、
前記検索条件情報生成手段は、前記取得手段にて前記生成用情報が取得された場合に、当該生成用情報に基づいて前記検索条件情報を生成し、
前記ホスト側通信手段は、前記検索条件情報生成手段にて生成された前記検索条件情報を前記情報提供システムに送信する、
ホスト側装置。
【請求項９】
情報提供システム及びホスト側装置と通信可能に接続されたクライアント側装置であって、
前記情報提供システム又は前記ホスト側装置との相互間で通信を行うためのクライアント側通信手段と、
当該クライアント側装置に関する各種情報を出力するクライアント側出力手段と、を備え、
前記クライアント側出力手段は、前記情報提供システムにて特定されたクライアントである旨を通知するための通知情報が前記クライアント側通信手段によって受信された場合に、当該通知情報を出力する、
クライアント側装置。
【請求項１０】
ホスト側装置及び複数のクライアント側装置の各々と通信可能に接続された情報提供システムにおいて行われる情報提供方法であって、
通信手段が、前記ホスト側装置又は前記複数のクライアント側装置との相互間で通信を行うための通信ステップと、
特定手段が、ホストから提供されるサービスを受けるクライアントを検索するための条件を示す検索条件情報と、前記クライアントを特定するクライアント情報とを相互に関連付けて格納するクライアント情報格納手段と、ホストから提供されるサービスを受けるクライアントを検索するための条件を示す検索条件情報が受信された場合に、クライアント情報格納手段に前記検索条件情報と相互に関連づけて格納されているクライアント情報であって前記クライアントを特定するクライアント情報の中から当該受信された検索条件情報に対応するクライアント情報を特定する特定ステップと、
通知情報生成手段が、前記特定ステップにおいて特定された前記クライアント情報に対応するクライアントである旨を通知するための通知情報を生成する通知情報生成ステップと、を含み、
前記特定ステップにおいて、前記通信ステップにおいて前記検索条件情報が受信された場合に、前記クライアント情報格納手段に格納されている前記クライアント情報の中から当該検索条件情報に対応するクライアント情報を特定し、
前記通信ステップにおいて、前記通知情報生成ステップにおいて生成された前記通知情報を前記特定ステップにおいて特定された前記クライアント情報に対応する前記クライアント側装置に送信する、
情報提供方法。
【請求項１１】
ホスト側装置及び複数のクライアント側装置の各々と通信可能に接続された情報提供システムに実行させるための情報提供プログラムであって、
コンピュータを、
前記ホスト側装置又は前記複数のクライアント側装置との相互間で通信を行うための通信手段と、
ホストから提供されるサービスを受けるクライアントを検索するための条件を示す検索条件情報と、前記クライアントを特定するクライアント情報とを相互に関連付けて格納するクライアント情報格納手段と、
前記通信手段によって前記検索条件情報が受信された場合に、前記クライアント情報格納手段に格納されている前記クライアント情報の中から当該検索条件情報に対応するクライアント情報を特定する特定手段と、
前記特定手段にて特定された前記クライアント情報に対応するクライアントである旨を通知するための通知情報を生成する通知情報生成手段と、として機能させるための情報提供プログラムであり、
前記特定手段は、前記通信手段によって前記検索条件情報が受信された場合に、前記クライアント情報格納手段に格納されている前記クライアント情報の中から当該検索条件情報に対応するクライアント情報を特定し、
前記通信手段は、前記通知情報生成手段にて生成された前記通知情報を前記特定手段にて特定された前記クライアント情報に対応する前記クライアント側装置に送信する、
情報提供プログラム。
【請求項１２】
情報提供システム及び複数のクライアント側装置の各々と通信可能に接続されたホスト側装置に実行させるためのホスト側プログラムであって、
コンピュータを、
前記情報提供システム又は前記複数のクライアント側装置との相互間で通信を行うためのホスト側通信手段と、
ホストから提供されるサービスを受けるクライアントを検索するための条件を示す検索条件情報を生成するための生成用情報を取得する取得手段と、
前記検索条件情報を生成する検索条件情報生成手段と、として機能させるためのホスト側プログラムであり、
前記検索条件情報生成手段は、前記取得手段にて前記生成用情報が取得された場合に、当該生成用情報に基づいて前記検索条件情報を生成し、
前記ホスト側通信手段は、前記検索条件情報生成手段にて生成された前記検索条件情報を前記情報提供システムに送信する、
ホスト側プログラム。
【請求項１３】
情報提供システム及びホスト側装置と通信可能に接続されたクライアント側装置に実行させるためのクライアント側プログラムであって、
前記情報提供システム又は前記ホスト側装置との相互間で通信を行うためのクライアント側通信手段と、
当該クライアント側装置に関する各種情報を出力するクライアント側出力手段と、として機能させるためのクライアント側プログラムであり、
前記クライアント側出力手段は、前記情報提供システムにて特定されたクライアントである旨を通知するための通知情報が前記クライアント側通信手段によって受信された場合に、当該通知情報を出力する、
クライアント側プログラム。
【発明の詳細な説明】
【技術分野】
【０００１】
本発明は、検索システム、情報提供システム、ホスト側装置、クライアント側装置、情報提供方法、情報提供プログラム、ホスト側プログラム、及びクライアント側プログラムに関する。
【背景技術】
【０００２】
従来、患者が医療サービスを受けることを支援するための技術の一つとして、消防署端末が患者端末から救急通報を受信した場合に、救急病院予約システムが、消防署端末から受信した患者の問診データと、当該救急病院予約システムで管理している患者データや病院の収容状況を示す情報とに基づいて収容先の病院を検索し、当該検索した病院に予約を行う技術が提案されている（例えば、特許文献１参照）。
【先行技術文献】
【特許文献】
【０００３】
【特許文献１】特開２００５−２８１号公報
【発明の概要】
【発明が解決しようとする課題】
【０００４】
ここで、上記従来の技術においては、上記検索された収容先の病院の医師は、救急病院予約システムによって予約された患者に対して医療サービスを提供することになるが、例えば、医師が提供できる医療サービスのうち得意とする医療サービスが患者に対して提供される医療サービスと異なる場合には、患者に対して最適な医療サービスを提供することが難しくなる可能性があった。よって、患者の如きクライアントに対して最適なサービスを提供する観点からは改善の余地があった。
【０００５】
本発明は、上記に鑑みてなされたものであって、クライアントに対して最適なサービスを提供することが可能となる、検索システム、情報提供システム、ホスト側装置、クライアント側装置、情報提供方法、情報提供プログラム、ホスト側プログラム、及びクライアント側プログラムを提供することを目的とする。
【課題を解決するための手段】
【０００６】
請求項１に記載の検索システムは、ホストから提供されるサービスを受けるクライアントを検索する検索システムであり、ホスト側装置と、複数のクライアント側装置と、前記ホスト側装置及び前記複数のクライアント側装置の各々と通信可能に接続された情報提供システムとを備えた検索システムであって、前記ホスト側装置は、前記情報提供システム又は前記複数のクライアント側装置との相互間で通信を行うためのホスト側通信手段と、前記クライアントを検索するための条件を示す検索条件情報を生成するための生成用情報を取得する取得手段と、前記検索条件情報を生成する検索条件情報生成手段と、を備え、前記複数のクライアント側装置の各々は、前記情報提供システム又は前記ホスト側装置との相互間で通信を行うためのクライアント側通信手段と、当該各クライアント側装置に関する各種情報を出力するクライアント側出力手段と、を備え、前記情報提供システムは、前記ホスト側装置又は前記複数のクライアント側装置との相互間で通信を行うための通信手段と、前記検索条件情報と、前記クライアントを特定するクライアント情報とを相互に関連付けて格納するクライアント情報格納手段と、前記通信手段によって前記検索条件情報が受信された場合に、前記クライアント情報格納手段に格納されている前記クライアント情報の中から当該検索条件情報に対応するクライアント情報を特定する特定手段と、前記特定手段にて特定された前記クライアント情報に対応するクライアントである旨を通知するための通知情報を生成する通知情報生成手段と、を備え、前記ホスト側装置の前記検索条件情報生成手段は、前記取得手段にて前記生成用情報が取得された場合に、当該生成用情報に基づいて前記検索条件情報を生成し、前記ホスト側装置の前記ホスト側通信手段は、前記検索条件情報生成手段にて生成された前記検索条件情報を前記情報提供システムに送信し、前記情報提供システムの前記特定手段は、前記通信手段によって前記検索条件情報が受信された場合に、前記クライアント情報格納手段に格納されている前記クライアント情報の中から当該検索条件情報に対応するクライアント情報を特定し、前記情報提供システムの前記通信手段は、前記通知情報生成手段にて生成された前記通知情報を前記特定手段にて特定された前記クライアント情報に対応する前記クライアント側装置に送信し、前記複数のクライアント側装置の各々の前記クライアント側出力手段は、前記クライアント側通信手段によって前記通知情報が受信された場合に、当該通知情報を出力する。
【０００７】
請求項２に記載の情報提供システムは、ホスト側装置及び複数のクライアント側装置の各々と通信可能に接続された情報提供システムであって、前記ホスト側装置又は前記複数のクライアント側装置との相互間で通信を行うための通信手段と、ホストから提供されるサービスを受けるクライアントを検索するための条件を示す検索条件情報と、前記クライアントを特定するクライアント情報とを相互に関連付けて格納するクライアント情報格納手段と、前記通信手段によって前記検索条件情報が受信された場合に、前記クライアント情報格納手段に格納されている前記クライアント情報の中から当該検索条件情報に対応するクライアント情報を特定する特定手段と、前記特定手段にて特定された前記クライアント情報に対応するクライアントである旨を通知するための通知情報を生成する通知情報生成手段と、を備え、前記特定手段は、前記通信手段によって前記検索条件情報が受信された場合に、前記クライアント情報格納手段に格納されている前記クライアント情報の中から当該検索条件情報に対応するクライアント情報を特定し、前記通信手段は、前記通知情報生成手段にて生成された前記通知情報を前記特定手段にて特定された前記クライアント情報に対応する前記クライアント側装置に送信する。
【０００８】
請求項３に記載の情報提供システムは、請求項２に記載の情報提供システムにおいて、前記サービスは、医療サービスであり、前記検索条件情報は、患者の傷病を示す傷病情報、患者の症状を示す症状情報、患者の属性を示す属性情報、又は、医師の位置と関連する患者の位置を示す位置情報を含む。
【０００９】
請求項４に記載の情報提供システムは、請求項３に記載の情報提供システムにおいて、前記通信手段は、前記クライアント情報と、前記クライアントに対してセカンドオピニオンを提供できる旨を示すセカンドオピニオン提供情報とを含む情報が前記ホスト側装置から受信された場合に、当該クライアント情報に対応する前記クライアント側装置に当該セカンドオピニオン提供情報を送信する。
【００１０】
請求項５に記載の情報提供システムは、請求項２から４のいずれか一項に記載の情報提供システムにおいて、前記通信手段は、前記クライアント情報と、前記クライアントを検索することを保留することを指示する保留指示情報とを含む情報が前記ホスト側装置から受信された場合に、当該情報が受信された後の所定のタイミングで、前記クライアント情報格納手段に格納されている前記検索条件情報の中から当該クライアント情報に対応する検索条件情報を当該ホスト側装置に送信する。
【００１１】
請求項６に記載の情報提供システムは、請求項２から５のいずれか一項に記載の情報提供システムにおいて、前記ホストを特定するホスト情報と、前記ホストのＰＲに関するＰＲ情報とを相互に関連付けて格納するＰＲ情報格納手段を備え、前記特定手段は、前記通信手段によって前記検索条件情報と前記ホスト情報とを含む情報が受信された場合に、前記クライアント情報格納手段に格納されている前記クライアント情報の中から当該検索条件情報に対応するクライアント情報を特定すると共に、前記ＰＲ情報格納手段に格納されている前記ＰＲ情報の中から当該ホスト情報に対応するＰＲ情報を特定し、前記通信手段は、前記通知情報生成手段にて生成された前記通知情報及び前記特定手段にて特定された前記ＰＲ情報等を含む情報を、当該特定手段にて特定された前記クライアント情報に対応する前記クライアント側装置に送信する。
【００１２】
請求項７に記載の情報提供システムは、請求項６に記載の情報提供システムにおいて、前記ＰＲ情報は、前記ホストの実績を示す実績情報、前記ホストを評価する際の指標となる評価情報、又は、前記ホストの経歴を示す経歴情報を含む。
【００１３】
請求項８に記載のホスト側装置は、情報提供システム及び複数のクライアント側装置の各々と通信可能に接続されたホスト側装置であって、前記情報提供システム又は前記複数のクライアント側装置との相互間で通信を行うためのホスト側通信手段と、ホストから提供されるサービスを受けるクライアントを検索するための条件を示す検索条件情報を生成するための生成用情報を取得する取得手段と、前記検索条件情報を生成する検索条件情報生成手段と、を備え、前記検索条件情報生成手段は、前記取得手段にて前記生成用情報が取得された場合に、当該生成用情報に基づいて前記検索条件情報を生成し、前記ホスト側通信手段は、前記検索条件情報生成手段にて生成された前記検索条件情報を前記情報提供システムに送信する。
【００１４】
請求項９に記載のクライアント側装置は、情報提供システム及びホスト側装置と通信可能に接続されたクライアント側装置であって、前記情報提供システム又は前記ホスト側装置との相互間で通信を行うためのクライアント側通信手段と、当該クライアント側装置に関する各種情報を出力するクライアント側出力手段と、を備え、前記クライアント側出力手段は、前記情報提供システムにて特定されたクライアントである旨を通知するための通知情報が前記クライアント側通信手段によって受信された場合に、当該通知情報を出力する。
【００１５】
請求項１０に記載の情報提供方法は、ホスト側装置及び複数のクライアント側装置の各々と通信可能に接続された情報提供システムにおいて行われる情報提供方法であって、通信手段が、前記ホスト側装置又は前記複数のクライアント側装置との相互間で通信を行うための通信ステップと、特定手段が、ホストから提供されるサービスを受けるクライアントを検索するための条件を示す検索条件情報と、前記クライアントを特定するクライアント情報とを相互に関連付けて格納するクライアント情報格納手段と、ホストから提供されるサービスを受けるクライアントを検索するための条件を示す検索条件情報が受信された場合に、クライアント情報格納手段に前記検索条件情報と相互に関連づけて格納されているクライアント情報であって前記クライアントを特定するクライアント情報の中から当該受信された検索条件情報に対応するクライアント情報を特定する特定ステップと、通知情報生成手段が、前記特定ステップにおいて特定された前記クライアント情報に対応するクライアントである旨を通知するための通知情報を生成する通知情報生成ステップと、を含み、前記特定ステップにおいて、前記通信ステップにおいて前記検索条件情報が受信された場合に、前記クライアント情報格納手段に格納されている前記クライアント情報の中から当該検索条件情報に対応するクライアント情報を特定し、前記通信ステップにおいて、前記通知情報生成ステップにおいて生成された前記通知情報を前記特定ステップにおいて特定された前記クライアント情報に対応する前記クライアント側装置に送信する。
【００１６】
請求項１１に記載の情報提供プログラムは、ホスト側装置及び複数のクライアント側装置の各々と通信可能に接続された情報提供システムに実行させるための情報提供プログラムであって、コンピュータを、前記ホスト側装置又は前記複数のクライアント側装置との相互間で通信を行うための通信手段と、ホストから提供されるサービスを受けるクライアントを検索するための条件を示す検索条件情報と、前記クライアントを特定するクライアント情報とを相互に関連付けて格納するクライアント情報格納手段と、前記通信手段によって前記検索条件情報が受信された場合に、前記クライアント情報格納手段に格納されている前記クライアント情報の中から当該検索条件情報に対応するクライアント情報を特定する特定手段と、前記特定手段にて特定された前記クライアント情報に対応するクライアントである旨を通知するための通知情報を生成する通知情報生成手段と、として機能させるための情報提供プログラムであり、前記特定手段は、前記通信手段によって前記検索条件情報が受信された場合に、前記クライアント情報格納手段に格納されている前記クライアント情報の中から当該検索条件情報に対応するクライアント情報を特定し、前記通信手段は、前記通知情報生成手段にて生成された前記通知情報を前記特定手段にて特定された前記クライアント情報に対応する前記クライアント側装置に送信する。
【００１７】
請求項１２に記載のホスト側プログラムは、情報提供システム及び複数のクライアント側装置の各々と通信可能に接続されたホスト側装置に実行させるためのホスト側プログラムであって、コンピュータを、前記情報提供システム又は前記複数のクライアント側装置との相互間で通信を行うためのホスト側通信手段と、ホストから提供されるサービスを受けるクライアントを検索するための条件を示す検索条件情報を生成するための生成用情報を取得する取得手段と、前記検索条件情報を生成する検索条件情報生成手段と、として機能させるためのホスト側プログラムであり、前記検索条件情報生成手段は、前記取得手段にて前記生成用情報が取得された場合に、当該生成用情報に基づいて前記検索条件情報を生成し、前記ホスト側通信手段は、前記検索条件情報生成手段にて生成された前記検索条件情報を前記情報提供システムに送信する。
【００１８】
請求項１３に記載のクライアント側プログラムは、情報提供システム及びホスト側装置と通信可能に接続されたクライアント側装置に実行させるためのクライアント側プログラムであって、前記情報提供システム又は前記ホスト側装置との相互間で通信を行うためのクライアント側通信手段と、当該クライアント側装置に関する各種情報を出力するクライアント側出力手段と、として機能させるためのクライアント側プログラムであり、前記クライアント側出力手段は、前記情報提供システムにて特定されたクライアントである旨を通知するための通知情報が前記クライアント側通信手段によって受信された場合に、当該通知情報を出力する。
【発明の効果】
【００１９】
請求項１に記載の検索システム、請求項２に記載の情報提供システム、請求項８に記載のホスト側装置、請求項９に記載のクライアント側装置、請求項１０に記載の情報提供方法、請求項１１に記載の情報提供プログラム、請求項１２に記載のホスト側プログラム、又は請求項１３に記載のクライアント側プログラムによれば、ホスト側装置のホスト側通信手段は、検索条件情報生成手段にて生成された検索条件情報を情報提供システムに送信し、情報提供システムの特定手段は、通信手段によって検索条件情報が受信された場合に、クライアント情報格納手段に格納されているクライアント情報の中から当該検索条件情報に対応するクライアント情報を特定し、情報提供システムの通信手段は、通知情報生成手段にて生成された通知情報を特定手段にて特定されたクライアント情報に対応するクライアント側装置に送信し、複数のクライアント側装置の各々のクライアント側出力手段は、クライアント側通信手段によって通知情報が受信された場合に、当該通知情報を出力するので、検索条件情報と一致するクライアント側装置に対応するクライアントに対して通知情報を提示することができ、例えば、当該クライアントのうち回答があったクライアントに対してサービスを提供することができる。よって、ホストのニーズに合致するクライアントに対してサービスを提供できるので、クライアントに対して最適なサービスを提供することが可能となる。
【００２０】
請求項３に記載の情報提供システムによれば、サービスは、医療サービスであり、検索条件情報は、傷病情報、症状情報、属性情報、又は、位置情報を含むので、医療サービスを提供するホストのニーズに合致するクライアントを効率的に検索することができ、クライアントの検索性を向上させることが可能となる。
【００２１】
請求項４に記載の情報提供システムによれば、通信手段は、クライアント情報と、セカンドオピニオン提供情報とを含む情報がホスト側装置から受信された場合に、当該クライアント情報に対応するクライアント側装置に当該セカンドオピニオン提供情報を送信するので、クライアントに対してセカンドオピニオン提供情報を提供でき、クライアントがセカンドオピニオンを提供できるホストを容易に検索することが可能となる。
【００２２】
請求項５に記載の情報提供システムによれば、通信手段は、クライアント情報と、保留指示情報とを含む情報がホスト側装置から受信された場合に、当該情報が受信された後の所定のタイミングで、クライアント情報格納手段に格納されている検索条件情報の中から当該クライアント情報に対応する検索条件情報を当該ホスト側装置に送信するので、ホストが保留指示を行った後所定のタイミングで、ホストに対して保留指示情報に対応する検索条件情報を提供でき、ホストが検索条件情報の経過を考慮してクライアントを検索するか否かを決めることが可能となる。
【００２３】
請求項６に記載の情報提供システムによれば、通信手段は、通知情報生成手段にて生成された通知情報及び特定手段にて特定されたＰＲ情報等を含む情報を、当該特定手段にて特定されたクライアント情報に対応するクライアント側装置に送信するので、通知情報と併せてＰＲ情報をクライアントに対して提示でき、クライアントがＰＲ情報を考慮してサービスを受けるか否かの回答を行うことが可能となる。
【００２４】
請求項７に記載の情報提供システムによれば、ＰＲ情報は、実績情報、評価情報、又は、経歴情報を含むので、ホストに関する詳細な情報をクライアントに対して提示でき、クライアントが当該情報を考慮してサービスを受けるか否かの回答を行うことが可能となる。
【図面の簡単な説明】
【００２５】
【図１】本発明の実施の形態に係る検索システムを概念的に示す図である。
【図２】ホスト側装置の電気的構成を示したブロック図である。
【図３】クライアント側装置の電気的構成を示したブロック図である。
【図４】情報提供装置の電気的構成を示したブロック図である。
【図５】クライアントＤＢに格納された情報を例示する図である。
【図６】ＰＲＤＢに格納された情報を例示する図である。
【図７】実施の形態に係るホスト側装置に関する検索処理のフローチャートである。
【図８】実施の形態に係る情報提供装置に関する検索処理のフローチャートである。
【図９】実施の形態に係るクライアント側装置に関する検索処理のフローチャートである。
【発明を実施するための形態】
【００２６】
以下に添付図面を参照して、この発明に係る検索システム、情報提供システム、ホスト側装置、クライアント側装置、情報提供方法、情報提供プログラム、ホスト側プログラム、及びクライアント側プログラムの実施の形態を詳細に説明する。
【００２７】
［実施の形態の基本的概念］
まずは、実施の形態の基本的概念について説明する。
【００２８】
本発明に係る検索システムは、概略的には、ホストから提供されるサービスを受けるクライアントを検索する検索システムである。ここで、「ホスト」とは、クライアントに対してサービスを提供するものを意味する。また、「クライアント」とは、ホストから提供されるサービスを受けるものを意味する。また、「サービス」とは、クライアントがホストから享受する役務を意味し、例えば、医療サービス、コンサルティングサービス等を含む概念である。また、この検索システムとして機能する機器は、クライアントを検索するための機器であって、例えば有線又は無線にて接続された複数の機器を含み、具体的には、ホスト側装置、クライアント側装置、及び情報提供装置を含む。このうち、「ホスト側装置」とは、ホストによって所持されている装置であり、例えば、携帯端末（一例として、スマートフォンやタブレット端末）又は据え置き型のパーソナルコンピュータ等を含む概念である。また、「クライアント側装置」とは、クライアントによって所持されている装置であり、例えば、携帯端末（一例として、スマートフォンやタブレット端末）又は据え置き型のパーソナルコンピュータ等を含む概念である。また、「情報提供装置」とは、基地局等に設けられた装置であり、例えば、据え置き型のサーバ等を含む概念である。以下、実施の形態では、サービスが医療サービスである場合において、医師（ホスト）が、当該医師から提供される医療サービスを受ける患者（クライアント）を検索する場合について説明する。
【００２９】
［実施の形態の具体的内容］
続いて、実施の形態の具体的内容について説明する。
【００３０】
（構成）
まず、実施の形態に係る検索システムの構成について説明する。図１は、本発明の実施の形態に係る検索システムを概念的に示す図である。図１に示すように、検索システム１は、ホスト側装置１０と、複数のクライアント側装置２０と、情報提供装置３０とを備えており、これらホスト側装置１０と、複数のクライアント側装置２０と、情報提供装置３０とはネットワーク２を介して相互に通信可能に接続されている。なお、複数のクライアント側装置２０は、相互に同様に構成することができるため、以下では、１つのクライアント側装置２０の構成について説明するものとし、他のクライアント側装置２０の構成についてはその説明を省略する。
【００３１】
（構成−ホスト側装置）
次に、ホスト側装置１０の構成について説明する。図２は、ホスト側装置１０の電気的構成を示したブロック図である。ホスト側装置１０は、後述する検索条件情報を送信する装置であり、図２に示すように、現在位置取得部１１、ホスト側通信部１２、タッチパッド１３、ディスプレイ１４、スピーカ１５、制御部１６、及びデータ記録部１７を備えて構成されている。なお、このホスト側装置１０、例えば、医療施設３に所属する医師によって所持されている公知の携帯端末等によって構成することができるので、その詳細な説明は省略する。
【００３２】
（構成−ホスト側装置−現在位置取得部）
現在位置取得部１１は、衛星から受信したＧＰＳ信号に基づいて医師の現在位置を検出する現在位置取得手段である。この現在位置取得部１１は、例えば、ＧＰＳ受信機を用いて構成されており、現在の医師の位置（座標）及び方位等を公知の方法にて検出する（なお、後述するクライアント側装置２０の現在位置取得部２１についても同様とする）。
【００３３】
（構成−ホスト側装置−ホスト側通信部）
ホスト側通信部１２は、情報提供装置３０又は複数のクライアント側装置２０との相互間で通信を行うためのホスト側通信手段であり、例えば、有線通信網や移動体無線通信網を用いて通信を行う公知の通信手段を用いて構成されている（なお、後述するクライアント側装置２０のクライアント側通信部２２、及び後述する情報提供装置３０の通信部３１についても同様とする）。
【００３４】
（構成−ホスト側装置−タッチパッド）
タッチパッド１３は、医師の指等で押圧されることにより、当該医師から各種操作入力を受け付ける操作手段である。このタッチパッド１３の具体的な構成は任意であるが、例えば、抵抗膜方式や静電容量方式等による操作位置検出手段を備えた公知のものを用いることができる（なお、後述するクライアント側装置２０のタッチパッド２３についても同様とする）。
【００３５】
（構成−ホスト側装置−ディスプレイ）
ディスプレイ１４は、制御部１６の制御に基づいて各種の画像を表示する出力手段である。このディスプレイ１４の具体的な構成は任意であるが、例えば、公知の液晶ディスプレイや有機ＥＬディスプレイの如きフラットパネルディスプレイ等を用いることができる（なお、後述するクライアント側装置２０のディスプレイ２４についても同様とする）。なお、上記のタッチパッド１３と当該ディスプレイ１４をタッチパッド１３として一体形成しても構わない。
【００３６】
（構成−ホスト側装置−スピーカ）
スピーカ１５は、制御部１６の制御に基づいて各種の音声を出力する出力手段である。スピーカ１５より出力される音声の具体的な態様は任意であり、必要に応じて生成された合成音声や、予め録音された音声を出力することができる（なお、後述するクライアント側装置２０のスピーカ２５についても同様とする）。
【００３７】
（構成−ホスト側装置−制御部）
制御部１６は、ホスト側装置１０を制御する制御手段であり、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（なお、後述するクライアント側装置２０の制御部２６、及び後述する情報提供装置３０の制御部３２についても同様とする）。特に、実施の形態に係るホスト側プログラムは、任意の記録媒体又はネットワーク２を介してホスト側装置１０にインストールされることで、制御部１６の各部を実質的に構成する。
【００３８】
また、この制御部１６は、図２に示すように、機能概念的に、取得部１６ａ及び検索条件情報生成部１６ｂを備えている。取得部１６ａは、後述する生成用情報を取得する取得手段である。検索条件情報生成部１６ｂは、後述する検索条件情報を生成する検索条件情報生成手段である。なお、この制御部１６によって実行される処理の詳細については後述する。
【００３９】
（構成−ホスト側装置−データ記録部）
データ記録部１７は、ホスト側装置１０の動作に必要なプログラム及び各種のデータ（例えば、地図情報や自己の後述するホスト情報）を記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、ＤＶＤやブルーレイディスクの如き光学的記録媒体、又はＦｌａｓｈ  Ｒｏｍ、ＵＳＢメモリ、ＳＤカードの如き電気的記録媒体を含む、その他の任意の記録媒体を用いることができる（なお、後述するクライアント側装置２０のデータ記録部２７、及び後述する情報提供装置３０のデータ記録部３３についても同様とする）。
【００４０】
（構成−クライアント側装置）
次に、クライアント側装置２０の構成について説明する。図３は、クライアント側装置２０の電気的構成を示したブロック図である。クライアント側装置２０は、後述する回答情報を送信する装置であり、図３に示すように、現在位置取得部２１、クライアント側通信部２２、タッチパッド２３、ディスプレイ２４、スピーカ２５、制御部２６、及びデータ記録部２７を備えて構成されている。なお、このクライアント側装置２０は、例えば、医療施設３以外の他の医療施設（図示省略）に通院する患者によって所持されている公知の携帯端末等によって構成することができるので、その詳細な説明は省略する。
【００４１】
（構成−クライアント側装置−現在位置取得部、クライアント側通信部、タッチパッド、ディスプレイ、スピーカ）
現在位置取得部２１は、衛星から受信したＧＰＳ信号に基づいて患者の現在位置を検出する現在位置取得手段である。クライアント側通信部２２は、情報提供装置３０又はホスト側装置１０との相互間で通信を行うためのクライアント側通信手段である。タッチパッド２３は、患者の指等で押圧されることにより、当該患者から各種操作入力を受け付ける操作手段である。ディスプレイ２４は、制御部２６の制御に基づいて各種の画像を表示する表示手段である。スピーカ２５は、制御部２６の制御に基づいて各種の音声を出力する出力手段である。なお、上述した「ディスプレイ２４」と、「スピーカ２５」とは、特許請求の範囲における「クライアント側出力手段」に対応する。
【００４２】
（構成−クライアント側装置−制御部）
制御部２６は、クライアント側装置２０を制御する制御手段であり、具体的には、実施の形態に係るクライアント側プログラムが任意の記録媒体又はネットワーク２を介してクライアント側装置２０にインストールされることで、制御部２６の各部を実質的に構成する。
【００４３】
また、この制御部２６は、図３に示すように、機能概念的に、回答情報生成部２６ａを備えている。回答情報生成部２６ａは、後述する回答情報を生成する回答情報生成手段である。なお、この制御部２６によって実行される処理の詳細については後述する。
【００４４】
（構成−クライアント側装置−データ記録部）
データ記録部２７は、クライアント側装置２０の動作に必要なプログラム及び各種のデータ（例えば、自己の後述するクライアント情報）を記録する記録手段である。
【００４５】
（構成−情報提供装置）
次に、情報提供装置３０の構成について説明する。図４は、情報提供装置３０の電気的構成を示したブロック図である。情報提供装置３０は、後述する通知情報を送信する情報提供システムであり、図４に示すように、通信部３１、制御部３２、及びデータ記録部３３を備えて構成されている。なお、この情報提供装置３０は、例えば、基地局（図示省略）に設けられた公知のサーバ等によって構成することができるので、その詳細な説明は省略する。
【００４６】
（構成−情報提供装置−通信部）
通信部３１は、ホスト側装置１０又は複数のクライアント側装置２０との相互間で通信を行うための通信手段である。
【００４７】
（構成−情報提供装置−制御部）
制御部３２は、情報提供装置３０を制御する制御手段であり、具体的には、実施の形態に係る情報提供プログラムが任意の記録媒体又はネットワーク２を介して情報提供装置３０にインストールされることで、制御部３２の各部を実質的に構成する。
【００４８】
また、この制御部３２は、図４に示すように、機能概念的に、特定部３２ａ及び通知情報生成部３２ｂを備えている。特定部３２ａは、通信部３１によって後述する検索条件情報が受信された場合に、後述するクライアントＤＢ３３ａに格納されている後述するクライアント情報の中から当該検索条件情報に対応するクライアント情報を特定する特定手段である。通知情報生成部３２ｂは、後述する通知情報を生成する通知情報生成手段である。なお、この制御部３２によって実行される処理の詳細については後述する。
【００４９】
（構成−情報提供装置−データ記録部）
データ記録部３３は、情報提供装置３０の動作に必要なプログラム及び各種のデータを記録する記録手段であり、図４に示すように、クライアントデータベース３３ａ（以下、データベースを「ＤＢ」と称する）、及びＰＲＤＢ３３ｂを備えている。なお、クライアントＤＢ３３ａ及びＰＲＤＢ３３ｂに格納されている情報の更新方法については任意であり、例えば、外部装置からクライアントＤＢ３３ａ及びＰＲＤＢ３３ｂに格納されている情報を更新するための情報が取得されたタイミング、情報提供装置３０の管理者等によって図示しない操作部を介して所定操作が行われたタイミング、又は一定期間が経過したタイミングで、クライアントＤＢ３３ａ又はＰＲＤＢ３３ｂに格納されている情報の少なくとも一部を更新することが望ましい。
【００５０】
（構成−情報提供装置−データ記録部−クライアントＤＢ）
図４のクライアントＤＢ３３ａは、検索条件情報と、クライアント情報とを相互に関連付けて格納するクライアント情報格納手段である。ここで、「検索条件情報」とは、患者（クライアント）を検索するための条件を示す情報であり、例えば、後述する傷病情報、後述する症状情報、後述する属性情報、及び後述する位置情報等を含む概念である。また、「クライアント情報」とは、患者（クライアント）を特定する情報であり、実施の形態では、後述するクライアント識別情報、及び後述するクライアント名情報等を含む概念である。
【００５１】
図５は、クライアントＤＢ３３ａの構成例を示す図である。図５に示すように、クライアントＤＢ３３ａは、項目「傷病」、項目「症状」、項目「属性」、項目「位置」、項目「クライアントＩＤ」、及び項目「クライアント名」と、各項目に対応する情報とを、相互に関連付けて格納している。また、項目「属性」は、さらに、患者の属性に関する項目として、項目「性別」及び項目「年齢層」を含んでいる。このうち、項目「傷病」に対応する情報は、患者の傷病（疾患や外傷）を示す傷病情報であり、例えば、図５に示す患者の傷病である「肝炎」等が該当する。また、項目「症状」に対応する情報は、患者の症状を示す症状情報であり、例えば、図５に示す患者の症状である「食欲不振、倦怠感、吐き気」等が該当する。また、項目「属性」に対応する情報は、患者の属性を示す属性情報である。このうち、項目「性別」に対応する情報は、患者の性別を示す性別情報であり、例えば、図５に示す患者の性別である「男性」、「女性」等が該当する。また、項目「年齢層」に対応する情報は、患者の年齢層（一定の幅の年齢による階層を意味する）を示す年齢層情報であり、例えば、図５に示す患者の年齢層である「３０代」等が該当する。また、項目「位置」に対応する情報は、医師の位置と関連する患者の位置（座標位置）を示す位置情報であり、例えば、図５に示す患者の位置である「（ｘ１１，ｙ１１）」等が該当する。また、項目「クライアントＩＤ」に対応する情報は、患者（クライアント）を一意に識別するためのクライアント識別情報であり、例えば、図５に示す患者のＩＤである「Ｃ１００１」等が該当する。また、項目「クライアント名」に対応する情報は、患者（クライアント）の名称を特定するクライアント名情報であり、例えば、図５に示す患者の名称である「ヤマダタロウ」等が該当する。
【００５２】
（構成−情報提供装置−データ記録部−ＰＲＤＢ）
図４のＰＲＤＢ３３ｂは、ホスト情報と、ＰＲ情報とを相互に関連付けて格納するＰＲ情報格納手段である。ここで、「ホスト情報」とは、医師（ホスト）を特定する情報である。また、「ＰＲ情報」とは、医師（ホスト）のＰＲ（いわゆる自己宣伝）に関する情報であり、実施の形態では、実績情報、評価情報、及び経歴情報等を含んで構成されている（ただし、これに限られず、例えば、実績情報、評価情報、又は経歴情報のいずれか１つ（又はいずれか２つ）を含んで構成されてもよい）。このうち、「実績情報」とは、ホストの実績を示す情報であり、例えば、ホストがクライアントを診療した件数を示す診療件数情報、診療したホストが完治した件数を示す完治件数情報等を含む概念である。また、「評価情報」とは、ホストを評価する際の指標となる情報であり、例えば、この評価が５つのランクに設定されている場合には、「１」、「２」、「３」、「４」、「５」等として表される。この評価情報の設定方法については任意であるが、例えば、データ記録部３３に格納されている図示しない評価テーブルであって、実績情報と評価情報とを相互に関連付けて格納する評価テーブル（一例として、実績情報の診療件数情報＝「１０００未満」の場合に評価情報＝「１」、診療件数情報＝「１０００件〜３０００件」の場合に評価情報＝「２」、診療件数情報＝「３０００件〜７０００件」の場合に評価情報＝「３」、診療件数情報＝「７０００件〜１００００件」の場合に評価情報＝「４」、診療件数情報＝「１００００件以上」の場合に評価情報＝「５」等を格納する評価テーブル等）の中から、ＰＲＤＢ３３ｂに格納されている実績情報に対応する評価情報を抽出し、当該抽出した情報を設定すべき評価情報として設定してもよい。あるいは、複数のクライアント側装置２０から受信した評価情報であって、各患者によって入力された評価情報の平均値を設定すべき評価情報として設定してもよい。また、「経歴情報」とは、ホストの経歴を示す情報であり、例えば、ホストの職務経歴を示す職務経歴情報、ホストの学歴を示す学歴情報等を含む概念である。
【００５３】
図６は、ＰＲＤＢ３３ｂの構成例を示す図である。図６に示すように、ＰＲＤＢ３３ｂは、項目「ホストＩＤ」、及び項目「ＰＲ」と、各項目に対応する情報とを、相互に関連付けて格納している。このうち、項目「ホストＩＤ」に対応する情報は、ホスト情報であり、例えば、図６に示す医師のＩＤである「Ｈ１００１」等が該当する。項目「ＰＲ」に対応する情報は、ＰＲ情報であり、例えば、図６に示すＰＲ情報のファイル名（実施の形態においては、実績情報、評価情報、及び経歴情報を含むファイルであってテキスト形式で保存されたファイルのファイル名）である「ＰＲ１００１.ｔｘｔ」等が該当する。
【００５４】
（処理）
次に、このように構成された検索システム１によって実行される検索処理について説明する。図７は、実施の形態に係るホスト側装置１０に関する検索処理のフローチャートである（以下の各処理の説明ではステップを「Ｓ」と略記する）。図８は、実施の形態に係る情報提供装置３０に関する検索処理のフローチャートである。図９は、実施の形態に係るクライアント側装置２０に関する検索処理のフローチャートである。検索処理は、概略的には、医師から提供される医療サービスを受ける患者を検索する処理である。また、この検索処理を実行するタイミングは任意であるが、実施の形態においては、ホスト側装置１０、複数のクライアント側装置２０、及び情報提供装置３０に電源が投入された後に起動されるものとして説明する。
【００５５】
検索処理が起動されると、図７から図９に示すように、後述する通知情報を患者に対して提示できるように、ホスト側装置１０の制御部１６はＳＡ１からＳＡ３の処理を行い、情報提供装置３０の制御部３２はＳＢ１からＳＢ５の処理を行い、且つ、クライアント側装置２０の制御部２６はＳＣ１、ＳＣ２の処理を行う。
【００５６】
まず、図７に示すように、ＳＡ１においてホスト側装置１０の取得部１６ａは、生成用情報を取得したか否かを判定する。ここで、「生成用情報」とは、検索条件情報を生成するための情報であり、実施の形態では、傷病生成用情報、症状生成用情報、性別生成用情報、年齢層生成用情報、位置生成用情報等を含む概念である。このうち、「傷病生成用情報」とは、検索条件情報のうち傷病情報を生成するための情報であり、実施の形態では、患者の傷病を示す情報として説明する。また、「症状生成用情報」とは、検索条件情報のうち症状情報を生成するための情報であり、実施の形態では、患者の症状を示す情報として説明する。また、「性別生成用情報」とは、検索条件情報のうち性別情報を生成するための情報であり、実施の形態では、患者の性別を示す情報を含む情報として説明する。また、「年齢層生成用情報」とは、検索条件情報のうち年齢層情報を生成するための情報であり、実施の形態では、患者の年齢層を示す情報を含む情報として説明する。また、「位置生成用情報」とは、検索条件情報のうち位置情報を生成するための情報であり、実施の形態では、医師の現在位置に関する領域を示す情報として説明する。
【００５７】
また、この生成用情報の取得方法については任意であるが、例えば、以下に示す方法により取得してもよい。すなわち、生成用情報のうちの傷病生成用情報については、所定のタイミングが到来した場合（一例として、ホスト側装置１０の医師によってタッチパッド１３を介して所定操作が受け付けられたタイミングが到来した場合等）に、ディスプレイ１４の画面上に表示領域（以下、「検索表示領域」と称する）を生成し、当該生成した検索表示領域に傷病生成用情報を一覧表示させ、これら傷病生成用情報の中からいずれか１つがタッチパッド１３を介して医師によって選択されることにより取得する。あるいは、これに限られず、医師によってタッチパッド１３を介して入力された情報を傷病生成用情報として取得したり、又は、データ記録部１７又は外部装置から取得する（なお、症状生成用情報の取得方法、性別生成用情報の取得方法、及び年齢層生成用情報の取得方法についても同様とする）。また、生成用情報のうちの位置生成用情報については、上記所定のタイミングが到来した場合に、データ記録部１７にあらかじめ格納されている地図情報の領域の中から、現在位置取得部１１から取得した医師の現在位置からあらかじめ設定された距離範囲（又は、医師によってタッチパッド１３を介して入力された距離範囲）の領域を特定し、当該特定した領域を示す情報（例えば、医師の現在位置から５ｋｍ以内の領域を示す情報等）を位置生成用情報として取得する。
【００５８】
そして、ホスト側装置１０の取得部１６ａは、上記生成用情報が取得されるまで待機し（ＳＡ１、Ｎｏ）、上記生成用情報が取得された場合（ＳＡ１、Ｙｅｓ）にはＳＡ２に移行する。
【００５９】
ＳＡ２においてホスト側装置１０の検索条件情報生成部１６ｂは、ＳＡ１にて取得された生成用情報に基づいて検索条件情報を生成する。
【００６０】
この検索条件情報の生成方法については任意であるが、例えば、以下に示す方法により生成してもよい。すなわち、検索条件情報のうちの傷病生成用情報については、上記取得された傷病生成用情報を傷病情報として生成する。また、検索条件情報のうちの症状生成用情報については、上記取得された症状生成用情報を症状情報として生成する。また、検索条件情報のうちの性別生成用情報については、上記取得された性別生成用情報を性別情報として生成する。また、検索条件情報のうちの年齢層生成用情報については、上記取得された年齢層生成用情報を年齢層情報として生成する。また、検索条件情報のうちの位置情報については、情報提供装置３０のクライアントＤＢ３３ａに格納されている位置情報（又は、ホスト側装置１０とリンク付けされているクライアント側装置２０から所定のタイミングで取得される位置情報）の中から、上記取得された位置生成用情報で示される上記領域内の座標に対応する位置情報（すなわち、医師の位置と関連する患者の位置を示す位置情報）を抽出し、当該抽出した情報を位置情報として生成する。
【００６１】
ＳＡ３においてホスト側装置１０の制御部１６は、ホスト側通信部１２によって、ＳＡ２にて生成された検索条件情報及びデータ記録部１７に格納されているホスト情報（ホスト識別情報、ホスト名情報）を含む情報（以下、「検索条件等情報」と称する）を情報提供装置３０に送信させる。
【００６２】
また、図８に示すように、ＳＢ１において情報提供装置３０の制御部３２は、通信部３１によって、ＳＡ３にて送信された検索条件等情報が受信されたか否かを判定する。そして、情報提供装置３０の制御部３２は、検索条件等情報が受信されるまで待機し（ＳＢ１、Ｎｏ）、検索条件等情報が受信された場合（ＳＢ１、Ｙｅｓ）にはＳＢ２へ移行する。
【００６３】
ＳＢ２において情報提供装置３０の特定部３２ａは、クライアントＤＢ３３ａに格納されているクライアント情報（クライアント識別情報、クライアント名情報）の中から、ＳＢ１にて受信された検索条件等情報に含まれる検索条件情報に対応するクライアント情報を特定する。
【００６４】
このクライアント情報の特定方法については任意であるが、実施の形態においては、クライアントＤＢ３３ａに格納されているクライアント情報の中から上記検索条件情報に含まれる傷病情報、症状情報、性別情報、年齢層情報、及び位置情報とすべてが一致するクライアント情報を特定する。一例として、上記検索条件情報に含まれる傷病情報＝「肝炎」、症状情報＝「食欲不振」、性別情報＝「男性」、年齢層情報＝「３０代」、位置情報＝「（ｘ１１、ｙ１１）」、「（ｘ１２、ｙ１２）」、「（ｘ１３、ｙ１３）」、「（ｘ１４、ｙ１４）」、「（ｘ１５、ｙ１５）」である場合には、図５に示すクライアントＤＢ３３ａのクライアント情報の中からクライアント情報＝「Ｃ１００１（クライアント識別情報）、ヤマダタロウ（クライアント名情報）」、「Ｃ３００１（クライアント識別情報）、サトウイチロウ（クライアント名情報）」、「Ｃ４００１（クライアント識別情報）、ナタカコウジ（クライアント名情報）」が特定される。ただし、これに限られず、例えば、クライアントＤＢ３３ａに格納されているクライアント情報の中から上記検索条件情報に含まれる傷病情報、症状情報、性別情報、年齢層情報、又は位置情報のいずれか１つ（あるいは、いずれか２つ、いずれか３つ、又はいずれか４つ）と一致するクライアント情報を特定してもよい。
【００６５】
図８に戻り、ＳＢ３において情報提供装置３０の特定部３２ａは、ＰＲＤＢ３３ｂに格納されているＰＲ情報の中から、ＳＢ１にて受信された検索条件等情報に含まれるホスト情報に対応するＰＲ情報を特定する。例えば、ＳＢ１にて受信された検索条件等情報に含まれるホスト情報（ホスト識別情報）＝「Ｈ１００１」である場合には、図６に示すＰＲＤＢ３３ｂのＰＲ情報の中からＰＲ情報＝「ＰＲ１００１.ｔｘｔ」が特定される。
【００６６】
図８に戻り、ＳＢ４において情報提供装置３０の通知情報生成部３２ｂは、通知情報を生成する。ここで、「通知情報」とは、ＳＢ２にて特定されたクライアント情報に対応する患者（クライアント）である旨を通知するための情報を意味する。
【００６７】
また、この通知情報の生成方法については任意であるが、例えば、ＳＢ１にて受信された検索条件等情報に含まれるホスト情報（例えば、ホスト識別情報又はホスト名情報）、ＳＢ２にて特定されたクライアント情報、及び、データ記録部３３にあらかじめ格納されている定型メッセージ情報（テキスト情報又は音声情報）を組み合わせることにより生成する。一例として、「×××様に対して〇〇〇様から医療サービスの提供の申し出がありました」の如きテキスト情報や音声情報が生成される（なお、「×××」には、ＳＢ２にて特定されたクライアント情報（例えば、クライアント識別情報又はクライアント名情報の少なくともいずれか１つ）が組み込まれる。また、「〇〇〇」には、ＳＢ１にて受信された検索条件等情報に含まれるホスト情報（例えば、ホスト識別情報又はホスト名情報の少なくともいずれか１つ）が組み込まれる。）。
【００６８】
ＳＢ５において情報提供装置３０の制御部３２は、通信部３１によって、ＳＢ４にて生成された通知情報及びＳＢ３にて特定されたＰＲ情報を含む情報（以下、「通知等情報」と称する）を、ＳＢ２にて特定されたクライアント情報に対応するクライアント側装置２０に送信させる。
【００６９】
また、図９に示すように、ＳＣ１においてクライアント側装置２０の制御部２６は、クライアント側通信部２２によって、ＳＢ５にて送信された通知等情報が受信されたか否かを判定する。そして、クライアント側装置２０の制御部２６は、通知等情報が受信されるまで待機し（ＳＣ１、Ｎｏ）、通知等情報が受信された場合（ＳＣ１、Ｙｅｓ）にはＳＣ２へ移行する。
【００７０】
ＳＣ２においてクライアント側装置２０の制御部２６は、ＳＣ１にて受信された通知等情報をディスプレイ２４又はスピーカ２５によって出力させる。この通知等情報の出力方法については任意であるが、例えば、この通知等情報に含まれる通知情報については、通知等情報が受信されてから所定時間経過するまでの間において、ディスプレイ２４の画面上に表示領域（以下、「通知表示領域」と称する）を生成し、当該生成した通知表示領域に通知情報を継続的又は断続的に表示したり、あるいは、スピーカ２５によって通知情報を継続的又は断続的に音声出力させてもよい。また、この通知等情報に含まれるＰＲ情報については、上記通知表示領域において、ＰＲ情報を通知情報と関連付けて表示したり、あるいは、スピーカ２５によって通知情報が出力された後にＰＲ情報を音声出力させてもよい。
【００７１】
以上のような処理により、検索条件情報と一致するクライアント側装置２０に対応する患者（クライアント）に対して通知情報を提示することができ、例えば、当該患者のうち回答があった患者に対して医療サービス（サービス）を提供することができる。よって、医師（ホスト）のニーズに合致する患者に対して医療サービスを提供できるので、患者に対して最適な医療サービスを提供することが可能となる。特に、検索条件情報が、傷病情報、症状情報、属性情報、又は、位置情報を含むので、医療サービスを提供するホストのニーズに合致するクライアントを効率的に検索することができ、クライアントの検索性を向上させることが可能となる。また、ＳＢ５において通知等情報をＳＢ２にて特定されたクライアント情報に対応するクライアント側装置２０に送信するので、通知情報と併せてＰＲ情報を患者に対して提示でき、患者がＰＲ情報を考慮して医療サービスを受けるか否かの回答を行うことが可能となる。特に、ＰＲ情報は、実績情報、評価情報、及び経歴情報等を含むので、医師に関する詳細な情報を患者に対して提示でき、患者が当該情報を考慮して医療サービスを受けるか否かの回答を行うことが可能となる。
【００７２】
次に、図７、図９に示すように、後述する回答情報を医師に対して提示できるように、ホスト側装置１０の制御部１６はＳＡ４、ＳＡ５の処理を行い、且つ、クライアント側装置２０の制御部２６はＳＣ３、ＳＣ４の処理を行う。
【００７３】
まず、図９に示すように、ＳＣ３においてクライアント側装置２０の回答情報生成部２６ａは、ＳＣ２にて出力された通知情報に対する回答情報を生成する。ここで、「回答情報」とは、患者（クライアント）が医師（ホスト）から提供される医療サービス（サービス）を受けるか否かの回答を示す情報を意味する。
【００７４】
また、この回答情報の生成方法については任意であるが、例えば、ディスプレイ２４の画面上に表示領域（以下、「回答生成表示領域」と称する）を生成し、当該生成した回答生成表示領域に医療サービスを受ける旨の回答を示す情報と医療サービスを受けない旨の回答を示す情報とを表示させ、これら情報の中からいずれか１つをタッチパッド２３を介して患者によって選択された情報と、データ記録部２７にあらかじめ格納されているクライアント情報とに基づいて生成してもよい。一例として、「×××様は、医療サービスを受けることを希望します」の如きテキスト情報や音声情報等が生成される（なお、「×××」には、データ記録部２７にあらかじめ格納されているクライアント情報（例えば、クライアント識別情報又はクライアント名情報の少なくともいずれか１つ）が組み込まれる）。あるいは、これに限られず、データ記録部２７にあらかじめ格納されている上記回答を示す情報（医療サービスを受ける旨の回答を示す情報又は医療サービスを受けない旨の回答を示す情報のいずれか１つ）と、データ記録部２７にあらかじめ格納されているクライアント情報に対応する部分とに基づいて生成されてもよい。
【００７５】
ＳＣ４においてクライアント側装置２０の制御部２６は、クライアント側通信部２２によって、ＳＣ３にて生成された回答情報をホスト側装置１０に送信させる。
【００７６】
図７に戻り、ＳＡ４においてホスト側装置１０の制御部１６は、ホスト側通信部１２によって、ＳＣ４にて送信された回答情報が受信されたか否かを判定する。そして、ホスト側装置１０の制御部１６は、回答情報が受信されるまで待機し（ＳＡ４、Ｎｏ）、回答情報が受信された場合（ＳＡ４、Ｙｅｓ）にはＳＡ５へ移行する。
【００７７】
ＳＡ５においてホスト側装置１０の制御部１６は、ＳＡ４にて受信された回答情報をディスプレイ１４又はスピーカ１５によって出力させる。
【００７８】
この回答情報の出力方法については任意であるが、例えば、この回答情報が受信されてから所定時間経過するまでの間において、ディスプレイ１４の画面上に表示領域（以下、「回答表示領域」と称する）を生成し、当該生成した回答表示領域に回答情報を継続的又は断続的に表示したり、又はスピーカ１５によって回答情報を継続的又は断続的に音声出力させてもよい。あるいは、回答情報に患者の位置（座標位置）を示す情報（具体的には、クライアント側装置２０の現在位置取得部２１にて取得された位置を示す情報）が含まれている場合には、上記回答表示領域にデータ記録部１７にあらかじめ格納されている地図情報（具体的には、地図画像）を表示し、当該表示した地図情報に対して、回答情報に対応する位置に回答情報を重ねて表示してもよい。あるいは、ＳＢ２において、クライアントＤＢ３３ａに格納されているクライアント情報の中から上記検索条件情報に含まれる傷病情報、症状情報、性別情報、年齢層情報、又は位置情報のいずれか１つ（あるいは、いずれか２つ、いずれか３つ、又はいずれか４つ）と一致するクライアント情報が特定された場合には、回答表示領域のうち各患者の回答情報が表示される部分を傷病情報、症状情報、性別情報、年齢層情報、又は位置情報の内容に応じて異なる態様で表示してもよい。一例として、年齢層情報＝２０代未満である場合には水色で表示し、年齢層情報＝２０代以上から４０代未満である場合には青色で表示し、年齢層情報＝４０代以上から６０代未満である場合には緑色で表示し、年齢層情報＝６０代以上である場合には赤色で表示する。
【００７９】
以上のような処理により、ホスト側装置１０が検索条件情報と一致するクライアント側装置２０から受信した少なくとも１つ以上の回答情報を医師（ホスト）に対して提示することができるので、医師が上記提示された回答情報に対応する患者（クライアント）の中から医療サービスを提供する患者を決めることが可能となる。
【００８０】
続いて、図７から図９に示すように、後述する確定情報を患者に対して提示できるように、ホスト側装置１０の制御部１６はＳＡ６からＳＡ８の処理を行い、情報提供装置３０の制御部３２はＳＢ６、ＳＢ７の処理を行い、且つ、クライアント側装置２０の制御部２６はＳＣ５からＳＣ７の処理を行う。
【００８１】
まず、図７に示すように、ＳＡ６においてホスト側装置１０の制御部１６は、医療サービスを提供する患者が確定されたか否かを判定する。この患者の確定方法については任意であるが、例えば、ＳＡ５にて回答表示領域に表示された回答情報の中からいずれか１つをタッチパッド１３を介して選択され（一例として、上記表示された回答情報の中から、医師が当該回答情報に対応する患者の少なくとも一部に電話等で連絡することで医療サービスを提供するという合意が得られた患者に対応する回答情報が、タッチパッド１３を介して選択され）、当該選択した回答情報に対応する患者を確定対象とすべき患者として確定する。そして、クライアント側装置２０の制御部２６は、患者が確定されるまで待機し（ＳＡ６、Ｎｏ）、患者が確定された場合（ＳＡ６、Ｙｅｓ）にはＳＡ７へ移行する。
【００８２】
ＳＡ７においてホスト側装置１０の制御部１６は、確定情報を生成する。ここで、「確定情報」とは、医師から提供される医療サービスを受ける患者が確定された旨を示す情報を意味する。また、この確定情報の生成方法については任意であるが、例えば、データ記録部１７にあらかじめ格納されているホスト情報（例えば、ホスト識別情報又はホスト名情報）、ＳＡ６にて確定された患者に対応する回答情報に含まれるクライアント情報、及びデータ記録部１７にあらかじめ格納されている定型メッセージ情報（テキスト情報又は音声情報）を組み合わせることにより生成してもよい。一例として、「〇〇〇様から医療サービスを受けるクライアントが×××様に確定しました」の如きテキスト情報や音声情報が生成される（なお、「〇〇〇」には、データ記録部１７にあらかじめ格納されているホスト情報（例えば、ホスト識別情報又はホスト名情報の少なくともいずれか１つ）が組み込まれる。また、「×××」には、ＳＡ６にて確定された患者に対応するクライアント情報（例えば、クライアント識別情報又はクライアント名情報の少なくともいずれか１つ）が組み込まれる。）。
【００８３】
ＳＡ８においてホスト側装置１０の制御部１６は、ホスト側通信部１２によって、ＳＡ７にて生成された確定情報を情報提供装置３０に送信させる。これにて、ホスト側装置１０の制御部１６は、検索処理を終了する。
【００８４】
また、図８に示すように、ＳＢ６において情報提供装置３０の制御部３２は、通信部３１によって、ＳＡ８にて送信された確定情報が受信されたか否かを判定する。そして、情報提供装置３０の制御部３２は、確定情報が受信されるまで待機し（ＳＢ６、Ｎｏ）、確定情報が受信された場合（ＳＢ６、Ｙｅｓ）にはＳＢ７へ移行する。
【００８５】
ＳＢ７において情報提供装置３０の制御部３２は、通信部３１によって、ＳＢ２にて特定されたクライアント情報に対応するクライアント側装置２０の中から、少なくともＳＢ６にて受信された確定情報に含まれるクライアント情報に対応するクライアント側装置２０以外の他のクライアント側装置２０に当該確定情報を送信させる。この確定情報の送信方法については任意であるが、例えば、ＳＢ２にて特定されたクライアント情報に対応するクライアント側装置２０に確定情報を送信する。あるいは、これに限られず、確定対象とすべき患者が医療サービスを受けるという合意が得られている旨を示す情報が確定情報に含まれている場合には、ＳＢ２にて特定されたクライアント情報の中から、ＳＢ６にて受信された確定情報に含まれるクライアント情報に対応するクライアント側装置２０以外の他のクライアント側装置２０のみに当該確定情報を送信してもよい。これにて、情報提供装置３０の制御部３２は、検索処理を終了する。
【００８６】
また、図９に示すように、ＳＣ５においてクライアント側装置２０の制御部２６は、クライアント側通信部２２によって、ＳＢ７にて送信された確定情報が受信されたか否かを判定する。そして、クライアント側装置２０の制御部２６は、確定情報が受信されたと判定された場合（ＳＣ５、Ｙｅｓ）にはＳＣ６へ移行し、確定情報が受信されたと判定されなかった場合（ＳＣ５、Ｎｏ）にはＳＣ７へ移行する。
【００８７】
ＳＣ６においてクライアント側装置２０の制御部２６は、ＳＣ５にて受信された確定情報をディスプレイ２４又はスピーカ２５によって出力させる。この確定情報の出力方法については任意であるが、例えば、この確定情報が受信されてから所定時間経過するまでの間において、ディスプレイ２４の画面上に表示領域（以下、「確定表示領域」と称する）を生成し、当該生成した確定表示領域に確定情報を継続的又は断続的に表示したり、あるいは、スピーカ２５によって確定情報を継続的又は断続的に音声出力させてもよい。その後、クライアント側装置２０の制御部２６は、検索処理を終了する。
【００８８】
ＳＣ７においてクライアント側装置２０の制御部２６は、ＳＣ４の処理が行われてから所定時間が経過したか否かを判定する。そして、クライアント側装置２０の制御部２６は、上記所定時間が経過したと判定されていない場合（ＳＣ７、Ｎｏ）にはＳＣ５へ移行し、上記所定時間が経過したと判定された場合（ＳＣ７、Ｙｅｓ）には、検索処理を終了する。
【００８９】
以上のような処理により、ＳＢ２にて特定されたクライアント側装置２０の患者（クライアント）のうち医師（ホスト）に対して医療サービスを提供しなかった他の患者に対して確定情報を提示することができるので、他の患者が自己以外の患者が医師から提供された医療サービスを受けたことを事後的に確認することが可能となる。
【００９０】
（実施の形態の効果）
このように実施の形態によれば、ホスト側装置１０のホスト側通信部１２は、検索条件情報生成部１６ｂにて生成された検索条件情報を情報提供装置３０に送信し、情報提供装置３０の特定部３２ａは、通信部３１によって検索条件情報が受信された場合に、クライアントＤＢ３３ａに格納されているクライアント情報の中から当該検索条件情報に対応するクライアント情報を特定し、情報提供装置３０の通信部３１は、通知情報生成部３２ｂにて生成された通知情報を特定部３２ａにて特定されたクライアント情報に対応するクライアント側装置２０に送信し、複数のクライアント側装置２０の各々のクライアント側出力手段は、クライアント側通信部２２によって通知情報が受信された場合に、当該通知情報を出力するので、検索条件情報と一致するクライアント側装置２０に対応するクライアントに対して通知情報を提示することができ、例えば、当該クライアントのうち回答があったクライアントに対してサービスを提供することができる。よって、ホストのニーズに合致するクライアントに対してサービスを提供できるので、クライアントに対して最適なサービスを提供することが可能となる。
【００９１】
また、サービスは、医療サービスであり、検索条件情報は、傷病情報、症状情報、属性情報、又は、位置情報を含むので、医療サービスを提供するホストのニーズに合致するクライアントを効率的に検索することができ、クライアントの検索性を向上させることが可能となる。
【００９２】
また、通信部３１は、通知情報生成部３２ｂにて生成された通知情報及び特定部３２ａにて特定されたＰＲ情報等を含む情報を、当該特定部３２ａにて特定されたクライアント情報に対応するクライアント側装置２０に送信するので、通知情報と併せてＰＲ情報をクライアントに対して提示でき、クライアントがＰＲ情報を考慮してサービスを受けるか否かの回答を行うことが可能となる。
【００９３】
また、ＰＲ情報は、実績情報、評価情報、又は、経歴情報を含むので、ホストに関する詳細な情報をクライアントに対して提示でき、クライアントが当該情報を考慮してサービスを受けるか否かの回答を行うことが可能となる。
【００９４】
（実施の形態に対する変形例）
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００９５】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００９６】
（分散や統合について）
上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。例えば、情報提供装置３０を、相互に通信可能に構成された複数の装置に分散して構成し、これら複数の装置の一部に制御部３２を設けると共に、これら複数の装置の他の一部にデータ記録部３３を設けてもよい。
【００９７】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００９８】
（検索条件情報について）
上記実施の形態では、検索条件情報は、傷病情報、症状情報、及び位置情報を含むと説明したが、これに限られない。例えば、傷病情報、症状情報、又は位置情報のいずれか１つ（又はいずれか２つ）を含んでもよい。あるいは、傷病情報、症状情報、及び位置情報に加えて、患者の傷病の進行状況を示す傷病進行状況情報、又は患者の過去の治療履歴（具体的には、治療内容、治療に用いられた薬剤や機器等）を示す治療履歴情報を含めることにより、医師のニーズに合致する患者を一層効率的に検索することが可能となる。
【００９９】
（ホスト側装置について）
上記実施の形態では、ホスト側装置１０は、医師によって所持されていると説明したが、これに限られず、例えば、医師が所属する医療施設３の看護士（ホスト側補助者）又は事務員（ホスト側補助者）によって所持されてもよい。
【０１００】
（検索処理について）
上記実施の形態では、ＳＡ４からＳＡ８、ＳＢ３、ＳＢ６、ＳＢ７、及びＳＣ３からＳＣ７の処理が行われると説明したが、これに限られず、例えば、ＳＡ４からＳＡ８、ＳＢ６、ＳＢ７、及びＳＣ３からＳＣ７の処理を省略してもよい。
【０１０１】
上記実施の形態では、ＳＢ１において検索情条件等報がホスト側装置１０から受信された場合に、ＳＢ５において情報提供装置３０の制御部３２は、通信部３１によって通知等情報をクライアント側装置２０に送信させ、ＳＢ６において確定情報がホスト側装置１０から受信された場合に、ＳＢ７において情報提供装置３０の制御部３２は、通信部３１によって確定情報をクライアント側装置２０に送信させると説明したが、これに限られない。例えば、クライアント情報（一例として、ＳＡ４にて受信された回答情報に含まれるクライアント情報）と、セカンドオピニオン提供情報とを含む情報（以下、「セカンドオピニオン提供等情報」と称する）がホスト側装置１０から受信された場合に、情報提供装置３０の制御部３２は、通信部３１によって、当該セカンドオピニオン提供等情報に含まれるクライアント情報に対応するクライアント側装置２０に当該セカンドオピニオン提供等情報に含まれるセカンドオピニオン提供情報を送信してもよい。ここで、「セカンドオピニオン提供情報」とは、クライアントに対してセカンドオピニオンを提供できる旨を示す情報であり、例えば、「〇〇〇様は、セカンドオピニオンを提供できます」の如きテキスト情報や音声情報（なお、「〇〇〇」には、ホスト情報（例えば、ホスト識別情報又はホスト名情報の少なくともいずれか１つ）が組み込まれる）を含んで構成されたり、あるいは、セカンドオピニオンを提供できる旨を示す図形等を含んで構成されてもよい。このような処理により、患者（クライアント）に対してセカンドオピニオン提供情報を提供でき、患者がセカンドオピニオンを提供できる医師（ホスト）を容易に検索することが可能となる。
【０１０２】
あるいは、これに限られず、クライアント情報（一例として、ＳＡ４にて受信された回答情報に含まれるクライアント情報）と、クライアントを検索することを保留することを指示する保留指示情報とを含む情報（以下、「保留指示等情報」と称する）がホスト側装置１０から受信された場合に、情報提供装置３０の制御部３２は、通信部３１によって、当該情報が受信された後の所定のタイミングで、クライアントＤＢ３３ａに格納されている検索条件情報の中から保留指示等情報に含まれるクライアント情報に対応する検索条件情報をホスト側装置１０に送信してもよい。ここで、「所定のタイミング」とは、例えば、情報提供装置３０が検索条件情報を送信する指示を示す指示情報がホスト側装置１０から受信したタイミング、一定期間（一例として、１週間又は１カ月等）経過したタイミング等が該当する。このような処理により、医師（ホスト）が保留指示を行った後所定のタイミングで、医師に対して保留指示情報に対応する検索条件情報を提供でき、医師が検索条件情報の経過を考慮して患者（クライアント）を検索するか否かを決めることが可能となる。
【０１０３】
また、上記実施の形態では、ＳＣ４において、ＳＣ３にて生成された回答情報をクライアント側装置２０に直接的に送信させると説明したが、これに限られず、例えば、ＳＣ３にて生成された回答情報を情報提供装置３０を介してクライアント側装置２０に送信させてもよい。
【０１０４】
（付記）
付記１の検索システムは、ホストから提供されるサービスを受けるクライアントを検索する検索システムであり、ホスト側装置と、複数のクライアント側装置と、前記ホスト側装置及び前記複数のクライアント側装置の各々と通信可能に接続された情報提供システムとを備えた検索システムであって、前記ホスト側装置は、前記情報提供システム又は前記複数のクライアント側装置との相互間で通信を行うためのホスト側通信手段と、前記クライアントを検索するための条件を示す検索条件情報を生成するための生成用情報を取得する取得手段と、前記検索条件情報を生成する検索条件情報生成手段と、を備え、前記複数のクライアント側装置の各々は、前記情報提供システム又は前記ホスト側装置との相互間で通信を行うためのクライアント側通信手段と、当該各クライアント側装置に関する各種情報を出力するクライアント側出力手段と、を備え、前記情報提供システムは、前記ホスト側装置又は前記複数のクライアント側装置との相互間で通信を行うための通信手段と、前記検索条件情報と、前記クライアントを特定するクライアント情報とを相互に関連付けて格納するクライアント情報格納手段と、前記通信手段によって前記検索条件情報が受信された場合に、前記クライアント情報格納手段に格納されている前記クライアント情報の中から当該検索条件情報に対応するクライアント情報を特定する特定手段と、前記特定手段にて特定された前記クライアント情報に対応するクライアントである旨を通知するための通知情報を生成する通知情報生成手段と、を備え、前記ホスト側装置の前記検索条件情報生成手段は、前記取得手段にて前記生成用情報が取得された場合に、当該生成用情報に基づいて前記検索条件情報を生成し、前記ホスト側装置の前記ホスト側通信手段は、前記検索条件情報生成手段にて生成された前記検索条件情報を前記情報提供システムに送信し、前記情報提供システムの前記特定手段は、前記通信手段によって前記検索条件情報が受信された場合に、前記クライアント情報格納手段に格納されている前記クライアント情報の中から当該検索条件情報に対応するクライアント情報を特定し、前記情報提供システムの前記通信手段は、前記通知情報生成手段にて生成された前記通知情報を前記特定手段にて特定された前記クライアント情報に対応する前記クライアント側装置に送信し、前記複数のクライアント側装置の各々の前記クライアント側出力手段は、前記クライアント側通信手段によって前記通知情報が受信された場合に、当該通知情報を出力する。
【０１０５】
付記２の情報提供システムは、ホスト側装置及び複数のクライアント側装置の各々と通信可能に接続された情報提供システムであって、前記ホスト側装置又は前記複数のクライアント側装置との相互間で通信を行うための通信手段と、ホストから提供されるサービスを受けるクライアントを検索するための条件を示す検索条件情報と、前記クライアントを特定するクライアント情報とを相互に関連付けて格納するクライアント情報格納手段と、前記通信手段によって前記検索条件情報が受信された場合に、前記クライアント情報格納手段に格納されている前記クライアント情報の中から当該検索条件情報に対応するクライアント情報を特定する特定手段と、前記特定手段にて特定された前記クライアント情報に対応するクライアントである旨を通知するための通知情報を生成する通知情報生成手段と、を備え、前記特定手段は、前記通信手段によって前記検索条件情報が受信された場合に、前記クライアント情報格納手段に格納されている前記クライアント情報の中から当該検索条件情報に対応するクライアント情報を特定し、前記通信手段は、前記通知情報生成手段にて生成された前記通知情報を前記特定手段にて特定された前記クライアント情報に対応する前記クライアント側装置に送信する。
【０１０６】
付記３の情報提供システムは、付記２に記載の情報提供システムにおいて、前記サービスは、医療サービスであり、前記検索条件情報は、患者の傷病を示す傷病情報、患者の症状を示す症状情報、患者の属性を示す属性情報、又は、医師の位置と関連する患者の位置を示す位置情報を含む。
【０１０７】
付記４の情報提供システムは、付記３に記載の情報提供システムにおいて、前記通信手段は、前記クライアント情報と、前記クライアントに対してセカンドオピニオンを提供できる旨を示すセカンドオピニオン提供情報とを含む情報が前記ホスト側装置から受信された場合に、当該クライアント情報に対応する前記クライアント側装置に当該セカンドオピニオン提供情報を送信する。
【０１０８】
付記５の情報提供システムは、付記２から４のいずれか一項に記載の情報提供システムにおいて、前記通信手段は、前記クライアント情報と、前記クライアントを検索することを保留することを指示する保留指示情報とを含む情報が前記ホスト側装置から受信された場合に、当該情報が受信された後の所定のタイミングで、前記クライアント情報格納手段に格納されている前記検索条件情報の中から当該クライアント情報に対応する検索条件情報を当該ホスト側装置に送信する。
【０１０９】
付記６の情報提供システムは、付記２から５のいずれか一項に記載の情報提供システムにおいて、前記ホストを特定するホスト情報と、前記ホストのＰＲに関するＰＲ情報とを相互に関連付けて格納するＰＲ情報格納手段を備え、前記特定手段は、前記通信手段によって前記検索条件情報と前記ホスト情報とを含む情報が受信された場合に、前記クライアント情報格納手段に格納されている前記クライアント情報の中から当該検索条件情報に対応するクライアント情報を特定すると共に、前記ＰＲ情報格納手段に格納されている前記ＰＲ情報の中から当該ホスト情報に対応するＰＲ情報を特定し、前記通信手段は、前記通知情報生成手段にて生成された前記通知情報及び前記特定手段にて特定された前記ＰＲ情報等を含む情報を、当該特定手段にて特定された前記クライアント情報に対応する前記クライアント側装置に送信する。
【０１１０】
付記７の情報提供システムは、付記６に記載の情報提供システムにおいて、前記ＰＲ情報は、前記ホストの実績を示す実績情報、前記ホストを評価する際の指標となる評価情報、又は、前記ホストの経歴を示す経歴情報を含む。
【０１１１】
付記８のホスト側装置は、情報提供システム及び複数のクライアント側装置の各々と通信可能に接続されたホスト側装置であって、前記情報提供システム又は前記複数のクライアント側装置との相互間で通信を行うためのホスト側通信手段と、ホストから提供されるサービスを受けるクライアントを検索するための条件を示す検索条件情報を生成するための生成用情報を取得する取得手段と、前記検索条件情報を生成する検索条件情報生成手段と、を備え、前記検索条件情報生成手段は、前記取得手段にて前記生成用情報が取得された場合に、当該生成用情報に基づいて前記検索条件情報を生成し、前記ホスト側通信手段は、前記検索条件情報生成手段にて生成された前記検索条件情報を前記情報提供システムに送信する。
【０１１２】
付記９のクライアント側装置は、情報提供システム及びホスト側装置と通信可能に接続されたクライアント側装置であって、前記情報提供システム又は前記ホスト側装置との相互間で通信を行うためのクライアント側通信手段と、当該クライアント側装置に関する各種情報を出力するクライアント側出力手段と、を備え、前記クライアント側出力手段は、前記情報提供システムにて特定されたクライアントである旨を通知するための通知情報が前記クライアント側通信手段によって受信された場合に、当該通知情報を出力する。
【０１１３】
付記１０の情報提供方法は、ホスト側装置及び複数のクライアント側装置の各々と通信可能に接続された情報提供システムにおいて行われる情報提供方法であって、通信手段が、前記ホスト側装置又は前記複数のクライアント側装置との相互間で通信を行うための通信ステップと、特定手段が、ホストから提供されるサービスを受けるクライアントを検索するための条件を示す検索条件情報と、前記クライアントを特定するクライアント情報とを相互に関連付けて格納するクライアント情報格納手段と、ホストから提供されるサービスを受けるクライアントを検索するための条件を示す検索条件情報が受信された場合に、クライアント情報格納手段に前記検索条件情報と相互に関連づけて格納されているクライアント情報であって前記クライアントを特定するクライアント情報の中から当該受信された検索条件情報に対応するクライアント情報を特定する特定ステップと、通知情報生成手段が、前記特定ステップにおいて特定された前記クライアント情報に対応するクライアントである旨を通知するための通知情報を生成する通知情報生成ステップと、を含み、前記特定ステップにおいて、前記通信ステップにおいて前記検索条件情報が受信された場合に、前記クライアント情報格納手段に格納されている前記クライアント情報の中から当該検索条件情報に対応するクライアント情報を特定し、前記通信ステップにおいて、前記通知情報生成ステップにおいて生成された前記通知情報を前記特定ステップにおいて特定された前記クライアント情報に対応する前記クライアント側装置に送信する。
【０１１４】
付記１１の情報提供プログラムは、ホスト側装置及び複数のクライアント側装置の各々と通信可能に接続された情報提供システムに実行させるための情報提供プログラムであって、コンピュータを、前記ホスト側装置又は前記複数のクライアント側装置との相互間で通信を行うための通信手段と、ホストから提供されるサービスを受けるクライアントを検索するための条件を示す検索条件情報と、前記クライアントを特定するクライアント情報とを相互に関連付けて格納するクライアント情報格納手段と、前記通信手段によって前記検索条件情報が受信された場合に、前記クライアント情報格納手段に格納されている前記クライアント情報の中から当該検索条件情報に対応するクライアント情報を特定する特定手段と、前記特定手段にて特定された前記クライアント情報に対応するクライアントである旨を通知するための通知情報を生成する通知情報生成手段と、として機能させるための情報提供プログラムであり、前記特定手段は、前記通信手段によって前記検索条件情報が受信された場合に、前記クライアント情報格納手段に格納されている前記クライアント情報の中から当該検索条件情報に対応するクライアント情報を特定し、前記通信手段は、前記通知情報生成手段にて生成された前記通知情報を前記特定手段にて特定された前記クライアント情報に対応する前記クライアント側装置に送信する。
【０１１５】
付記１２のホスト側プログラムは、情報提供システム及び複数のクライアント側装置の各々と通信可能に接続されたホスト側装置に実行させるためのホスト側プログラムであって、コンピュータを、前記情報提供システム又は前記複数のクライアント側装置との相互間で通信を行うためのホスト側通信手段と、ホストから提供されるサービスを受けるクライアントを検索するための条件を示す検索条件情報を生成するための生成用情報を取得する取得手段と、前記検索条件情報を生成する検索条件情報生成手段と、として機能させるためのホスト側プログラムであり、前記検索条件情報生成手段は、前記取得手段にて前記生成用情報が取得された場合に、当該生成用情報に基づいて前記検索条件情報を生成し、前記ホスト側通信手段は、前記検索条件情報生成手段にて生成された前記検索条件情報を前記情報提供システムに送信する。
【０１１６】
付記１３のクライアント側プログラムは、情報提供システム及びホスト側装置と通信可能に接続されたクライアント側装置に実行させるためのクライアント側プログラムであって、前記情報提供システム又は前記ホスト側装置との相互間で通信を行うためのクライアント側通信手段と、当該クライアント側装置に関する各種情報を出力するクライアント側出力手段と、として機能させるためのクライアント側プログラムであり、前記クライアント側出力手段は、前記情報提供システムにて特定されたクライアントである旨を通知するための通知情報が前記クライアント側通信手段によって受信された場合に、当該通知情報を出力する。
【０１１７】
（付記の効果）
付記１に記載の検索システム、付記２に記載の情報提供システム、付記８に記載のホスト側装置、付記９に記載のクライアント側装置、付記１０に記載の情報提供方法、付記１１に記載の情報提供プログラム、付記１２に記載のホスト側プログラム、又は付記１３に記載のクライアント側プログラムによれば、ホスト側装置のホスト側通信手段は、検索条件情報生成手段にて生成された検索条件情報を情報提供システムに送信し、情報提供システムの特定手段は、通信手段によって検索条件情報が受信された場合に、クライアント情報格納手段に格納されているクライアント情報の中から当該検索条件情報に対応するクライアント情報を特定し、情報提供システムの通信手段は、通知情報生成手段にて生成された通知情報を特定手段にて特定されたクライアント情報に対応するクライアント側装置に送信し、複数のクライアント側装置の各々のクライアント側出力手段は、クライアント側通信手段によって通知情報が受信された場合に、当該通知情報を出力するので、検索条件情報と一致するクライアント側装置に対応するクライアントに対して通知情報を提示することができ、例えば、当該クライアントのうち回答があったクライアントに対してサービスを提供することができる。よって、ホストのニーズに合致するクライアントに対してサービスを提供できるので、クライアントに対して最適なサービスを提供することが可能となる。
【０１１８】
付記３に記載の情報提供システムによれば、サービスは、医療サービスであり、検索条件情報は、傷病情報、症状情報、属性情報、又は、位置情報を含むので、医療サービスを提供するホストのニーズに合致するクライアントを効率的に検索することができ、クライアントの検索性を向上させることが可能となる。
【０１１９】
付記４に記載の情報提供システムによれば、通信手段は、クライアント情報と、セカンドオピニオン提供情報とを含む情報がホスト側装置から受信された場合に、当該クライアント情報に対応するクライアント側装置に当該セカンドオピニオン提供情報を送信するので、クライアントに対してセカンドオピニオン提供情報を提供でき、クライアントがセカンドオピニオンを提供できるホストを容易に検索することが可能となる。
【０１２０】
付記５に記載の情報提供システムによれば、通信手段は、クライアント情報と、保留指示情報とを含む情報がホスト側装置から受信された場合に、当該情報が受信された後の所定のタイミングで、クライアント情報格納手段に格納されている検索条件情報の中から当該クライアント情報に対応する検索条件情報を当該ホスト側装置に送信するので、ホストが保留指示を行った後所定のタイミングで、ホストに対して保留指示情報に対応する検索条件情報を提供でき、ホストが検索条件情報の経過を考慮してクライアントを検索するか否かを決めることが可能となる。
【０１２１】
付記６に記載の情報提供システムによれば、通信手段は、通知情報生成手段にて生成された通知情報及び特定手段にて特定されたＰＲ情報等を含む情報を、当該特定手段にて特定されたクライアント情報に対応するクライアント側装置に送信するので、通知情報と併せてＰＲ情報をクライアントに対して提示でき、クライアントがＰＲ情報を考慮してサービスを受けるか否かの回答を行うことが可能となる。
【０１２２】
付記７に記載の情報提供システムによれば、ＰＲ情報は、実績情報、評価情報、又は、経歴情報を含むので、ホストに関する詳細な情報をクライアントに対して提示でき、クライアントが当該情報を考慮してサービスを受けるか否かの回答を行うことが可能となる。
【符号の説明】
【０１２３】
１  検索システム
２  ネットワーク
３  医療施設
１０  ホスト側装置
１１  現在位置取得部
１２  ホスト側通信部
１３  タッチパッド
１４  ディスプレイ
１５  スピーカ
１６  制御部
１６ａ  取得部
１６ｂ  検索条件情報生成部
１７  データ記録部
２０  クライアント側装置
２１  現在位置取得部
２２  クライアント側通信部
２３  タッチパッド
２４  ディスプレイ
２５  スピーカ
２６  制御部
２６ａ  回答情報生成部
２７  データ記録部
３０  情報提供装置
３１  通信部
３２  制御部
３２ａ  特定部
３２ｂ  通知情報生成部
３３  データ記録部
３３ａ  クライアントＤＢ
３３ｂ  ＰＲＤＢ
【図１】
2019121217.tif 000003
【図２】
2019121217.tif 000004
【図３】
2019121217.tif 000005
【図４】
2019121217.tif 000006
【図５】
2019121217.tif 000007
【図６】
2019121217.tif 000008
【図７】
2019121217.tif 000009
【図８】
2019121217.tif 000010
【図９】
2019121217.tif 000011